(57)【要約】【課題】  メッシュ素材等の通気性素材を外部に露出せずに外気を取入れられる通気性に優れたシャツを提供する。【解決手段】  布地によって作られるシャツ１において、前記布地よりも通気性の良いメッシュ素材で形成され肩ヨーク部１３に縫着された肩ヨーク用通気布１６と、該肩ヨーク用通気布１６の外側に配置され周縁の複数個所が適宜な間隔で閂止めにより縫着がなされて前記肩ヨーク用通気布１６から各閂止め１８間の間隙に連通する通気路を形成する肩ヨーク用のカバー布１７とからなる二重構造の肩ヨーク部を備えるように構成した。【選択図】  図１
0003120565.tif 000002
【実用新案登録請求の範囲】
【請求項１】
布地によって作られるシャツにおいて、
前記布地よりも通気性の良いメッシュ素材で形成され肩ヨーク部に縫着された肩ヨーク用通気布と、
該肩ヨーク用通気布の外側に配置され周縁の複数個所が適宜な間隔で閂止めにより縫着がなされて前記肩ヨーク用通気布から各閂止め間の間隙に連通する通気路を形成する肩ヨーク用のカバー布とからなる二重構造の肩ヨーク部を備えたことを特徴とするシャツ。
【請求項２】
布地によって作られるシャツにおいて、
前記布地よりも通気性の良いメッシュ素材で形成され前身頃部の胸ポケット部に縫着されて、前記胸ポケット部の位置に設けられている孔を塞ぐ胸ポケット用通気布と、
前記胸ポケット用通気布の外側に配置され、前記前身頃部の胸ポケット部の上部に開口を有するように両側及び下部が縫着されて前記胸ポケット用通気布から胸ポケット部の上部の開口に連通する通気路を形成するポケット用布とから構成された胸ポケット部を備えたことを特徴とするシャツ。
【請求項３】
布地によって作られるシャツにおいて、
請求項１に記載の二重構造の肩ヨーク部と、
請求項２に記載の胸ポケット部を備えたことを特徴とするシャツ。
【考案の詳細な説明】
【技術分野】
【０００１】
本考案は、着用した際に、発汗などによって内部が蒸れることを防止するシャツに関するものである。
【背景技術】
【０００２】
近年、温室効果ガス削減のために、夏のエアコンの設定温度を２８度にすることが推奨され、夏のノーネクタイ、ノー上着ファッションにして夏を涼しく過ごすビジネススタイルの「クールビズ」が提唱されている。季節に関わらずワイシャツにネクタイの着用が通常スタイルとなっているサラリーマンの場合、２８度前後のオフィス内でも、客との打合せの場合には、ネクタイの着用が通常スタイルであり、発汗などによってシャツ内部が蒸れると非常に苦痛である。
【０００３】
着用した際に、発汗などによって内部が蒸れることを防止するシャツとしては、袖部と身頃部を有し、布地によって作られるシャツにおいて、通気性の良い通気性素材を着用状態で外部から見えない位置に有するシャツが提案されている。このシャツは、シャツの袖付け縁辺と袖下辺の角部の布地が切り取られ、代りにメッシュ素材を取り付け、また、ヨークは、他の部分の布地より吸水性に優れる吸水布部と、メッシュ素材部を合わせて構成された二重構造となっている。
【特許文献１】特開２００３−２３９１０１号公報
【考案の開示】
【考案が解決しようとする課題】
【０００４】
しかしながら、上記シャツの場合、ヨークに取付けてあるメッシュ素材は、吸水布部で被われて、発汗後に吸水すると通気性が悪くなる。また、シャツの袖付け縁辺と袖下辺の角部に取付けてあるメッシュ素材の場合には、通気性を良くしたい場合にメッシュ素材を外部に露出させることで外気を取入れることができるが外観の体裁が悪くなってしまう。
【０００５】
この考案は、上記課題を解決するものであり、メッシュ素材等の通気性素材を外部に露出せずに外気を取入れられる通気性に優れたシャツを提供することを目的とする。
【課題を解決するための手段】
【０００６】
上記課題を解決するために請求項１に記載の考案は、布地によって作られるシャツにおいて、前記布地よりも通気性の良いメッシュ素材で形成され肩ヨーク部に縫着された肩ヨーク用通気布と、該肩ヨーク用通気布の外側に配置され周縁の複数個所が適宜な間隔で閂止めの縫着がなされて前記肩ヨーク用通気布から各閂止め間の間隙に連通する通気路を形成する肩ヨーク用のカバー布とからなる二重構造の肩ヨーク部を備えたことを特徴とするシャツである。
【０００７】
また、請求項２に記載の考案は、布地によって作られるシャツにおいて、前記布地よりも通気性の良いメッシュ素材で形成され前身頃部の孔を塞ぐように前記前身頃部の胸ポケット部に縫着された胸ポケット用通気布と、前記胸ポケット用通気布の外側に配置され、前記前身頃部の胸ポケット部の上部に開口を有するように両側及び下部が縫着されて前記胸ポケット用通気布から胸ポケット部の上部の開口に連通する通気路を形成するポケット用布とから構成された胸ポケット部を備えたことを特徴とするシャツである。
【０００８】
また、請求項３に記載の考案は、布地によって作られるシャツにおいて、請求項１に記載の二重構造の肩ヨーク部と、請求項２に記載の胸ポケット部を備えたことを特徴とするシャツである。
【考案の効果】
【０００９】
本考案によれば、通気性がよく、外観は、メッシュ等が見えることなくてデザイン的に優れ、かつ、シャツ内部が見えることのないシャツを提供することができる。
【考案を実施するための最良の形態】
【００１０】
以下、本考案の実施例を、図面を参照して説明する。
【実施例１】
【００１１】
図１（ａ）は、本考案の実施例１のシャツの背面図、図１（ｂ）は、図１（ａ）におけるシャツの肩ヨーク部の一部欠截拡大図、図２（ａ）は、本考案の実施例１のシャツの正面図、図２（ｂ）は、図２（ａ）におけるシャツの胸ポケットにおいてポケット用布の一部を外側に折り返した状態の拡大図、図３は、図２（ｂ）のＡ−Ａ断面図で胸ポケットの構造を説明するための図である。なお、各図において、縫製の部分については破線で示している。
【００１２】
図１（ａ），（ｂ）、図２（ａ），（ｂ）、及び、図３において、シャツ１は、布地によって作られる長袖のワイシャツである。シャツ１には、左右の前身頃部１０ａ，１０ｂ、後身頃部１１、左右の袖部１２ａ，１２ｂ、肩ヨーク部１３、衿部１４を有している。左の前身頃部１０ａには、胸ポケット部１５が設けられている。
【００１３】
肩ヨーク部１３においては、前記メッシュ素材で形成した肩ヨーク用通気布１６を肩ヨーク部１３に縫着し、左右の前身頃部１０ａ，１０ｂ、後身頃部１１等と同じ布地で形成した肩ヨーク用のカバー布１７を肩ヨーク用通気布１６の外側に配置し、その周縁の複数個所を適宜の間隔で閂止め１８により縫着して、肩ヨーク用通気布１６と肩ヨーク用のカバー布１７とが重なった二重構造に形成されている。
【００１４】
本実施例では、カバー布１７は、閂止め１８による縫着を、肩ヨーク部１３の背中側の下辺のみとし、肩ヨーク部１３の他の各辺は通常の縫着にして、前や横から閂止め１８による縫着個所が見えないようにしてデザイン的に違和感がないように形成しているが、閂止め１８による縫着個所は特に、肩ヨーク部１３の背中側の下辺のみに限定されるものではない。
【００１５】
これによりカバー布１７の周縁には各閂止め１８間に複数の間隙１９が設けられ、肩ヨーク部１３は、肩ヨーク用通気布１６から各閂止め１８間の間隙１９に連通する通気路が形成されて、肩ヨーク用通気布１６による通気性は良好に保たれる。
【００１６】
左の前身頃部１０ａの胸ポケット部１５の位置には孔２０が設けられている。そして、シャツ１の布地よりも通気性の良いメッシュ素材で形成した胸ポケット用通気布２１を左の前身頃部１０ａの胸ポケット部１５の位置に設けられている孔２０を塞ぐように、胸ポケット用通気布２１の周縁を左の前身頃部１０ａに縫着して取付けている。そして、左右の前身頃部１０ａ，１０ｂ等と同じ布地で形成した略四角形状のポケット用布２２を、胸ポケット用通気布２１の外側に配置して、上部に開口２２ａを有するように両側及び下部を各々縫着している。これにより胸ポケット部１５には、胸ポケット用通気布２１から開口２２ａに連通する通気路が形成され、胸ポケット用通気布２１による通気性は良好に保たれる。
【００１７】
したがって、前記シャツ１の場合、肩ヨーク部１３は、肩ヨーク用通気布１６から各閂止め１８間の間隙１９連通する通気路が形成されて、肩ヨーク用通気布１６による通気性は良好に保たれ、メッシュ素材を露出させることなく、カバー布１７の周縁に設けられた複数の間隙１９から背中側内部の蒸れた空気の放出、または、外気の取入れができる。
【００１８】
また、胸ポケット部１５は、胸ポケット用通気布２１から胸ポケット部１５の上部の開口２２ａに連通する通気路が形成されていて、胸ポケット部１５の通気性が良いので暑い環境の中であっても前身頃部１０ａ，１０ｂの内部が蒸れることなく快適に過ごすことができる。
【００１９】
本考案は前記実施例に限定されるものではなく、実用新案登録請求の範囲に記載された本考案を逸脱することがなければ、種々の設計変更が可能であり、前記実施例に限定されないことはいうまでもない。
【図面の簡単な説明】
【００２０】
【図１】（ａ）は、本考案の実施例１のシャツの背面図、（ｂ）は、（ａ）におけるシャツの肩ヨーク部の一部欠截拡大図である。
【図２】（ａ）は、本考案の実施例１のシャツの正面図、（ｂ）は、（ａ）におけるシャツの胸ポケットにおいてポケット用布の一部を外側に折り返した状態の拡大図である。
【図３】図２（ｂ）のＡ−Ａ断面図で胸ポケットの構造を説明するための図である。
【符号の説明】
【００２１】
１  シャツ
１０ａ  左前身頃部
１０ｂ  右前身頃部
１１  後身頃部
１２ａ  左袖部
１２ｂ  右袖部
１３  肩ヨーク部
１４  衿部
１５  胸ポケット部
１６  肩ヨーク用通気布
１７  肩ヨーク用のカバー布
１８  閂止め
２０  孔
２１  胸ポケット用通気布
２２  ポケット用布
２２ａ  開口
【図１】
0003120565.tif 000003
【図２】
0003120565.tif 000004
【図３】
0003120565.tif 000005
【手続補正書】
【提出日】平成18年2月7日(2006.2.7)
【手続補正１】
【補正対象書類名】実用新案登録請求の範囲
【補正対象項目名】全文
【補正方法】変更
【補正の内容】
【実用新案登録請求の範囲】
【請求項１】
布地によって作られるシャツにおいて、
前記布地よりも通気性の良いメッシュ素材で形成され肩ヨーク部に縫着された肩ヨーク用通気布と、
該肩ヨーク用通気布の外側に配置され周縁の複数個所が適宜な間隔で閂止めにより縫着がなされて前記肩ヨーク用通気布から各閂止め間の間隙に連通する通気路を形成する肩ヨーク用のカバー布とからなる二重構造の肩ヨーク部を備えたことを特徴とするシャツ。
【請求項２】
布地によって作られるシャツにおいて、
前記布地よりも通気性の良いメッシュ素材で形成され前身頃部の胸ポケット部に縫着されて、前記胸ポケット部の位置に設けられている孔を塞ぐ胸ポケット用通気布と、
前記胸ポケット用通気布の外側に配置され、前記前身頃部の胸ポケット部の上部に開口を有するように両側及び下部が縫着されて前記胸ポケット用通気布から胸ポケット部の上部の開口に連通する通気路を形成するポケット用布とから構成された胸ポケット部を備えたことを特徴とする請求項１記載のシャツ。
【手続補正２】
【補正対象書類名】明細書
【補正対象項目名】全文
【補正方法】変更
【補正の内容】
【考案の詳細な説明】
【技術分野】
【０００１】
本考案は、着用した際に、発汗などによって内部が蒸れることを防止するシャツに関するものである。
【背景技術】
【０００２】
近年、温室効果ガス削減のために、夏のエアコンの設定温度を２８度にすることが推奨され、夏のノーネクタイ、ノー上着ファッションにして夏を涼しく過ごすビジネススタイルの「クールビズ」が提唱されている。季節に関わらずワイシャツにネクタイの着用が通常スタイルとなっているサラリーマンの場合、２８度前後のオフィス内でも、客との打合せの場合には、ネクタイの着用が通常スタイルであり、発汗などによってシャツ内部が蒸れると非常に苦痛である。
【０００３】
着用した際に、発汗などによって内部が蒸れることを防止するシャツとしては、袖部と身頃部を有し、布地によって作られるシャツにおいて、通気性の良い通気性素材を着用状態で外部から見えない位置に有するシャツが提案されている。このシャツは、シャツの袖付け縁辺と袖下辺の角部の布地が切り取られ、代りにメッシュ素材を取り付け、また、ヨークは、他の部分の布地より吸水性に優れる吸水布部と、メッシュ素材部を合わせて構成された二重構造となっている。
【特許文献１】特開２００３−２３９１０１号公報
【考案の開示】
【考案が解決しようとする課題】
【０００４】
しかしながら、上記シャツの場合、ヨークに取付けてあるメッシュ素材は、吸水布部で被われて、発汗後に吸水すると通気性が悪くなる。また、シャツの袖付け縁辺と袖下辺の角部に取付けてあるメッシュ素材の場合には、通気性を良くしたい場合にメッシュ素材を外部に露出させることで外気を取入れることができるが外観の体裁が悪くなってしまう。
【０００５】
この考案は、上記課題を解決するものであり、メッシュ素材等の通気性素材を外部に露出せずに外気を取入れられる通気性に優れたシャツを提供することを目的とする。
【課題を解決するための手段】
【０００６】
上記課題を解決するために請求項１に記載の考案は、布地によって作られるシャツにおいて、前記布地よりも通気性の良いメッシュ素材で形成され肩ヨーク部に縫着された肩ヨーク用通気布と、該肩ヨーク用通気布の外側に配置され周縁の複数個所が適宜な間隔で閂止めの縫着がなされて前記肩ヨーク用通気布から各閂止め間の間隙に連通する通気路を形成する肩ヨーク用のカバー布とからなる二重構造の肩ヨーク部を備えたことを特徴とするシャツである。
【０００７】
また、請求項２に記載の考案は、布地によって作られるシャツにおいて、前記布地よりも通気性の良いメッシュ素材で形成され前身頃部の孔を塞ぐように前記前身頃部の胸ポケット部に縫着された胸ポケット用通気布と、前記胸ポケット用通気布の外側に配置され、前記前身頃部の胸ポケット部の上部に開口を有するように両側及び下部が縫着されて前記胸ポケット用通気布から胸ポケット部の上部の開口に連通する通気路を形成するポケット用布とから構成された胸ポケット部を備えたことを特徴とする請求項１記載のシャツである。
【考案の効果】
【０００８】
本考案によれば、通気性がよく、外観は、メッシュ等が見えることなくてデザイン的に優れ、かつ、シャツ内部が見えることのないシャツを提供することができる。
【考案を実施するための最良の形態】
【０００９】
以下、本考案の実施例を、図面を参照して説明する。
【実施例１】
【００１０】
図１（ａ）は、本考案の実施例１のシャツの背面図、図１（ｂ）は、図１（ａ）におけるシャツの肩ヨーク部の一部欠截拡大図、図２（ａ）は、本考案の実施例１のシャツの正面図、図２（ｂ）は、図２（ａ）におけるシャツの胸ポケットにおいてポケット用布の一部を外側に折り返した状態の拡大図、図３は、図２（ｂ）のＡ−Ａ断面図で胸ポケットの構造を説明するための図である。なお、各図において、縫製の部分については破線で示している。
【００１１】
図１（ａ），（ｂ）、図２（ａ），（ｂ）、及び、図３において、シャツ１は、布地によって作られる長袖のワイシャツである。シャツ１には、左右の前身頃部１０ａ，１０ｂ、後身頃部１１、左右の袖部１２ａ，１２ｂ、肩ヨーク部１３、衿部１４を有している。左の前身頃部１０ｂには、胸ポケット部１５が設けられている。
【００１２】
肩ヨーク部１３においては、前記メッシュ素材で形成した肩ヨーク用通気布１６を肩ヨーク部１３に縫着し、左右の前身頃部１０ａ，１０ｂ、後身頃部１１等と同じ布地で形成した肩ヨーク用のカバー布１７を肩ヨーク用通気布１６の外側に配置し、その周縁の複数個所を適宜の間隔で閂止め１８により縫着して、肩ヨーク用通気布１６と肩ヨーク用のカバー布１７とが重なった二重構造に形成されている。
【００１３】
本実施例では、カバー布１７は、閂止め１８による縫着は、肩ヨーク部１３の背中側の下辺のみとし、肩ヨーク部１３の他の各辺は通常の縫着にして、前や横から閂止め１８による縫着個所が見えないようにしてデザイン的に違和感がないように形成しているが、閂止め１８による縫着個所は特に、肩ヨーク部１３の背中側の下辺のみに限定されるものではない。
【００１４】
これによりカバー布１７の周縁には各閂止め１８間に複数の間隙１９が設けられ、肩ヨーク部１３は、肩ヨーク用通気布１６から各閂止め１８間の間隙１９に連通する通気路が形成されて、肩ヨーク用通気布１６による通気性は良好に保たれる。
【００１５】
左の前身頃部１０ａの胸ポケット部１５の位置には孔２０が設けられている。そして、シャツ１の布地よりも通気性の良いメッシュ素材で形成した胸ポケット用通気布２１を左の前身頃部１０ａの胸ポケット部１５の位置に設けられている孔２０を塞ぐように、胸ポケット用通気布２１の周縁を左の前身頃部１０ａに縫着して取付けている。そして、左右の前身頃部１０ａ，１０ｂ等と同じ布地で形成した略四角形状のポケット用布２２を、胸ポケット用通気布２１の外側に配置して、上部に開口２２ａを有するように両側及び下部を各々縫着している。これにより胸ポケット部１５には、胸ポケット用通気布２１から開口２２ａに連通する通気路が形成され、胸ポケット用通気布２１による通気性は良好に保たれる。
【００１６】
したがって、前記シャツ１の場合、肩ヨーク部１３は、肩ヨーク用通気布１６から各閂止め１８間の間隙１９連通する通気路が形成されて、肩ヨーク用通気布１６による通気性は良好に保たれ、メッシュ素材を露出させることなく、カバー布１７の周縁に設けられた複数の間隙１９から背中側内部の蒸れた空気の放出、または、外気の取入れができる。
【００１７】
また、胸ポケット部１５は、胸ポケット用通気布２１から胸ポケット部１５の上部の開口２２ａに連通する通気路が形成されていて、胸ポケット部１５の通気性が良いので暑い環境の中であっても前身頃部１０ａ，１０ｂの内部が蒸れることなく快適に過ごすことができる。
【００１８】
本考案は前記実施例に限定されるものではなく、実用新案登録請求の範囲に記載された本考案を逸脱することがなければ、種々の設計変更が可能であり、前記実施例に限定されないことはいうまでもない。
【図面の簡単な説明】
【００１９】
【図１】（ａ）は、本考案の実施例１のシャツの背面図、（ｂ）は、（ａ）におけるシャツの肩ヨーク部の一部欠截拡大図である。
【図２】（ａ）は、本考案の実施例１のシャツの正面図、（ｂ）は、（ａ）におけるシャツの胸ポケットにおいてポケット用布の一部を外側に折り返した状態の拡大図である。
【図３】図２（ｂ）のＡ−Ａ断面図で胸ポケットの構造を説明するための図である。
【符号の説明】
【００２０】
１  シャツ
１０ａ  左前身頃部
１０ｂ  右前身頃部
１１  後身頃部
１２ａ  左袖部
１２ｂ  右袖部
１３  肩ヨーク部
１４  衿部
１５  胸ポケット部
１６  肩ヨーク用通気布
１７  肩ヨーク用のカバー布
１８  閂止め
２０  孔
２１  胸ポケット用通気布
２２  ポケット用布
２２ａ  開口